(57)【特許請求の範囲】
【請求項１】
（ａ）下記一般式（１）で表される化合物を含有する混合物であって、当該混合物におけるプロピレンオキシドの平均付加モル数ｍ及びエチレンオキシドの平均付加モル数ｎが、それぞれ０＜ｍ＜１、０＜ｎ≦３である混合物を４〜５０質量％、（ｂ）下記一般式（２）で表される化合物を含有する混合物であって、当該混合物におけるエチレンオキシドの平均付加モル数ｘが３〜１０である混合物を０．１〜１０質量％、ハイドロトロープ剤及び有機溶剤から選ばれる相安定化剤、並びに水を含有し、一般式（２）で表される化合物のうちｘ１が０、１及び２である化合物を組成物中に０．０５〜１質量％含有し、（ａ）／（ｂ）が質量比として２０／１〜１／１である、液体洗浄剤組成物。
Ｒ1aＯ−（ＰＯ）m1（ＥＯ）n1ＳＯ3Ｍ          （１）
（式中、Ｒ1aは炭素数８〜１８の直鎖アルキル基であり、且つ酸素原子と結合している炭素原子は第１炭素原子であって、ＰＯとＥＯは夫々プロピレンオキシ基とエチレンオキシ基であり、ｍ１、ｎ１はＰＯ又はＥＯの付加モル数を示し、それぞれ０以上の整数である。Ｍは陽イオンである。）
Ｒ2aＯ−（ＥＯ）x1Ｈ            （２）
（式中、Ｒ2aは炭素数６〜１８の直鎖又は分岐鎖アルキル基であり、ＥＯはエチレンオキシ基であり、ｘ１はＥＯの付加モル数を示し、０以上の整数である。）
【請求項２】
（ａ）成分中、一般式（１）中のｍ１及びｎ１が共に０である化合物の割合が２８質量％以下である、請求項１記載の液体洗浄剤組成物。
【請求項３】
さらに（ｃ）成分として、アミンオキシド型界面活性剤を１〜３０質量％含有する請求項１又は２に記載の液体洗浄剤組成物。
【請求項４】
さらに（ｄ）成分として、（ｂ）成分以外の非イオン性界面活性剤、両性界面活性剤、及び（ａ）成分以外の陰イオン性界面活性剤から選ばれる１種以上の界面活性剤を含有し、界面活性剤の総量が１０〜６０質量％である、請求項１〜３何れかに記載の液体洗浄剤組成物。
【発明の詳細な説明】
【技術分野】
【０００１】
本発明は液体洗浄剤組成物、特に天然由来の原料から製造した陰イオン界面活性剤を主界面活性剤とする液体洗浄剤組成物に関する。用途としては衣料用、硬質表面用を挙げることができ、特に台所周り等の硬質表面、中でも食器や調理器具等の洗浄に適した液体洗浄剤組成物に関する。
【背景技術】
【０００２】
近年、環境負荷軽減の観点から、界面活性剤の濃度を高め、容器の樹脂量を低減させた濃縮タイプの液体洗浄剤が好まれて使用されている。また、身体洗浄剤や食器洗浄用液体洗浄剤などは洗浄力や手荒れ防止性の観点から、陰イオン界面活性剤であるポリオキシアルキレンアルキルエーテル硫酸エステル塩型界面活性剤（以下、ＡＥＳという場合がある）を主成分として用いている。一般的に家庭用の洗浄剤では、複数の界面活性剤を併用することで、洗浄力を高めている。例えば非イオン界面活性剤を併用することで油汚れへの洗浄性を高めることが考えられる。特にオキシアルキレン基がオキシエチレン又は、オキシエチレンとオキシプロピレンの組み合わせからなるポリオキシアルキレンアルキルエーテル型の非イオン界面活性剤（以下、ＡＥという場合がある）は、よく知られた界面活性剤であり、油汚れに対する洗浄力を高める性質がある。
【０００３】
特許文献１には、ＡＥＳを含有し、界面活性剤の全重量に対する分岐鎖アルキル基を有する界面活性剤の割合が特定範囲にある液体洗浄剤組成物が開示されている。また、特許文献２には、ＡＥＳを含む特定の陰イオン界面活性剤と特定のアミンオキシド型界面活性剤とを含有する２５℃におけるｐＨが３以上７未満の液体洗浄剤組成物が開示されている。本発明に関連するその他の先行技術として、特許文献３にはポリオキシプロピレンアルキルエーテルサルフェートが、起泡性に優れ、低温安定性が良好であって、すすぎ性に優れる組成物を提供しえることが記載されている。また、特許文献４にはエチレンオキシド及び又はプロピレンオキシドが０．０１〜３０モル付加したアルキルアルコキシ化サルフェートが開示されている。さらには特許文献５、６、７には、プロピレンオキシド、及びエチレンオキシドが付加したアルコールのサルフェートを含有する衣料用洗浄剤組成物が記載されている。特に、特許文献６には、牛脂誘導高級アルコールやヤシ油誘導高級アルコール由来のポリオキシアルキレンアルキルエーテル硫酸エステル塩を用いる洗剤が記載されている。
【０００４】
また、特許文献８には平均付加モル数が５〜２０のポリオキシアルキレンアルキルエーテルが、特許文献９には平均付加モル数が５〜１２のポリオキシエチレンアルキルエーテルが記載されている。さらに、特許文献１０には、ＨＬＢが１８以上のポリオキシアルキレン型非イオン性界面活性剤により、使用感に優れる液体洗浄剤組成物が開示されている。
【特許文献１】特開２００２−１９４３８８号公報、
【特許文献２】特開２００７−２３２１１号公報
【特許文献３】特開平５−９７６３３号公報
【特許文献４】特表平１１−５０７９５５号公報
【特許文献５】特開昭５５−８４３９９号公報
【特許文献６】特開昭５６−７２０９２号公報
【特許文献７】特開昭５６−５８９５号公報
【特許文献８】特開２００２−３３２４９９号公報
【特許文献９】特開平１１−２４１０９７号公報
【特許文献１０】特公平２−４６６３８号公報
【発明の開示】
【発明が解決しようとする課題】
【０００５】
上述のようにＡＥＳを含有する濃縮タイプの液体洗浄剤は、低温時における貯蔵安定性の課題からアルキル基に分岐構造を有する合成系のＡＥＳを用いているのが現状である。しかしながら、近年地球温暖化の問題から、ＣＯ2排出量削減の数値化目標が課せられるなど、ＣＯ2排出量削減の機運が高まってきており、ＣＯ2排出に最も寄与度が高い化石燃料使用量の削減や、カーボンニュートラルという概念から天然原料使用への切替えが推奨されている。
【０００６】
このような状況の中で、合成系（化石燃料系由来）の界面活性剤について考えてみると、製造方法の関係上、分岐鎖アルキル基のアルコールを約２０質量％含有するアルコール混合物からの誘導体、或いは２級アルコールからの誘導体が主である。これは、アルコールを界面活性剤の原材料として使用する場合、分岐鎖アルコール又は２級アルコール由来の界面活性剤と直鎖アルコール由来の界面活性剤との混合物として使用する方が、水と混合したときのゲル化特性を考慮する上で扱い易く、直鎖アルコール由来の界面活性剤のみからなる場合と比べて安定な洗浄剤を設計することが容易になるという理由による。一方で、天然油脂原料に由来する界面活性剤、いわゆる天然系界面活性剤は、直鎖のアルキル基のみで構成されている。このような天然アルコールから製造されたＡＥＳを配合する洗浄剤において、すすぎ性や低温での貯蔵安定性（以下、低温温安定性という場合がある）を維持することが難しくなる。なお天然原料起源の直鎖アルキル基を有するＡＥＳを濃縮タイプの液体洗浄剤に応用するためにはエチレンオキシドの付加モル数を増加させることで安定性上の課題を解決しえるが、その結果、親水性が高められることになり油に対する優れた洗浄力が損なわれる。
【０００７】
また、前記したように洗浄力（特には洗浄持続性）を向上させる目的から、炭素数８〜２２のアルコールにエチレンオキシド及び／又はプロピレンオキシドが付加したポリオキシアルキレン型非イオン界面活性剤を併用することが提案されている。とりわけ低ＨＬＢのポリオキシアルキレン型非イオン界面活性剤は乳化力を向上させる。我々はこの点につき研究を重ねたところ、エチレンオキシド付加モル数（以下ＥＯ付加モル数という場合がある）の小さい化合物が効果的に働いていることを見出した。しかしながらこの場合、硬質表面に付着した油汚れを除去しやすくする一方で、洗剤を洗い流す際のすすぎ性が悪くなるという課題が生じる。この課題は、前記分岐鎖を有するＡＥＳを用いる場合よりも、天然系由来のＡＥＳを用いる方が顕著であり、理由として、低ＥＯ付加モル数のポリオキシアルキレン型非イオン界面活性剤自体の水への溶解性に加えて、ＡＥＳ中の直鎖ＡＳとの間で形成されるコンプレックスのパッキング性が高まり、食器表面に多層吸着膜として付着し、皮膜化するためと推測される。
【０００８】
従って本発明の課題は、ＡＥＳの原料アルコールとして直鎖アルコール、例えば天然アルコールを使用し、且つ、低ＥＯ付加モル数の化合物を含むポリオキシエチレンアルキルエーテルを併用するにもかかわらず、高い乳化力および優れたすすぎ性を有し、更には低温安定性にも優れる、液体洗浄剤組成物を提供することにある。
【課題を解決するための手段】
【０００９】
本発明者らは、天然原料起源の直鎖アルキル基を有するポリオキシアルキレンアルキルエーテル硫酸エステル塩型界面活性剤（ＡＥＳ）を液体洗浄剤に応用する目的から、直鎖アルキル基を有するＡＥＳの洗浄挙動を詳細に検討した。その結果、アルコールにエチレンオキシドが１モル付加した構造（付加モル数分布が単一である）のＡＥＳ型界面活性剤、及びアルコールにエチレンオキシドが２モル付加した構造（付加モル数分布が単一である）のＡＥＳ型界面活性剤が最も洗浄力が高いことを見出した。一方で、アルコールにエチレンオキシドを付加する反応は、生成物におけるエチレンオキシドの付加モル数が幅広い分布を持つことが知られており、例えば平均２モル付加させた場合には、目的とする２モル付加物は１５〜２０質量％しか得られず、未反応のアルコールが反応生成物中に約３０質量％存在する。このようなエチレンオキシド付加物を硫酸化して得られるＡＥＳには、エチレンオキシド化されていないアルキル硫酸エステル塩（ＡＳという場合がある）を約３０質量％含有し、これが安定性低下の原因になることを見出した。この問題は直鎖アルキル基からなる天然系のＡＥＳにおいて深刻であり、一方で合成系のＡＥＳは、一部のアルキル基に分岐鎖を有するため、安定性への影響は少ない。なお、前記したように、エチレンオキシドの平均付加モル数を増加することで硫酸化後のＡＳの量を減少させ安定性の改善を図ることができるが、一方で洗浄力に効果的な１モル付加体、及び２モル付加体までもが減少してしまい、結果、洗浄力が低下することが判明した。本発明者らは、オキシアルキレンアルキルエーテル硫酸エステル塩の製造において、プロピレンオキシドを最初にアルコールに少量付加させることで、未反応のアルコールを低減させ、その後にエチレンオキシドを付加させることで、優れた安定性と洗浄力が得られることを見出した。これは、アルコールに最初にプロピレンオキシドが付加することにより、エチレンオキシドが１モルの付加体、及び２モルの付加体の割合を減少させることなく反応が進行するためと推察される。また、アルコールに最初にプロピレンオキシドが付加することにより、アルキル基及びこれに結合するオキシプロピレン基により擬似的分岐構造が形成され、界面活性剤間のパッキング性を適度に緩めることですすぎ性や安定性に寄与することが考えられた。
【００１０】
一方、ポリオキシエチレンアルキルエーテル型非イオン界面活性剤に関しては、低ＥＯ付加モル数の化合物が洗浄力を高めるのに効果的である一方で、ＥＯ付加モル数が５以上の化合物がすすぎ性に関し重要な役割を持っていることを見出した。本発明者らは以上の基材の性質に基づき、本発明に至った。
【００１１】
すなわち、本発明は、（ａ）下記一般式（１）で表される化合物を含有する混合物であって、当該混合物におけるプロピレンオキシドの平均付加モル数ｍ及びエチレンオキシドの平均付加モル数ｎが、それぞれ０＜ｍ＜１、０＜ｎ≦３である混合物を４〜５０質量％、（ｂ）下記一般式（２）で表される化合物を含有する混合物であって、当該混合物におけるエチレンオキシドの平均付加モル数ｘが３〜１０である混合物を０．１〜１０質量％、ハイドロトロープ剤及び有機溶剤から選ばれる相安定化剤、並びに水を含有し、一般式（２）で表される化合物のうちｘ１が０、１及び２である化合物を組成物中に０．０５〜１質量％含有し、（ａ）／（ｂ）が質量比として２０／１〜１／１である、液体洗浄剤組成物に関する。
Ｒ1aＯ−（ＰＯ）m1（ＥＯ）n1ＳＯ3Ｍ          （１）
（式中、Ｒ1aは炭素数８〜１８の直鎖アルキル基であり、且つ酸素原子と結合している炭素原子は第１炭素原子であって、ＰＯとＥＯは夫々プロピレンオキシ基とエチレンオキシ基であり、ｍ１、ｎ１はＰＯ又はＥＯの付加モル数を示し、それぞれ０以上の整数である。Ｍは陽イオンである。）
Ｒ2aＯ−（ＥＯ）x1Ｈ            （２）
（式中、Ｒ2aは炭素数６〜１８の直鎖又は分岐鎖アルキル基であり、ＥＯはエチレンオキシ基であり、ｘ１はＥＯの付加モル数を示し、０以上の整数である。）
【発明の効果】
【００１２】
本発明の液体洗浄剤組成物は、ＡＥＳの原料アルコールとして天然原料、すなわち原料アルコールが直鎖アルキル基を有する化合物で占められるような原料を使用し、且つ、低ＥＯ付加モル数の化合物を含むポリオキシアルキレン型非イオン界面活性剤を併用することで、高い乳化力、更には優れたすすぎ性が得られ、しかも低温における優れた貯蔵安定性を発現できる。
【発明を実施するための最良の形態】
【００１３】
まず、本発明の液体洗浄剤組成物に含有される各成分について説明する。
＜（ａ）成分＞
本発明の（ａ）成分は、下記一般式（１）で表される化合物を含有する混合物であって、当該混合物におけるプロピレンオキシドの平均付加モル数ｍ及びエチレンオキシドの平均付加モル数ｎが、それぞれ０＜ｍ＜１、０＜ｎ≦３である混合物である。
Ｒ1aＯ−（ＰＯ）m1（ＥＯ）n1ＳＯ3Ｍ          （１）
（式中、Ｒ1aは炭素数８〜１８の直鎖アルキル基であり、且つ酸素原子と結合している炭素原子は第１炭素原子であって、ＰＯとＥＯは夫々プロピレンオキシ基とエチレンオキシ基であり、ｍ１、ｎ１はＰＯ又はＥＯの付加モル数を示し、それぞれ０以上の整数である。Ｍは陽イオンである。）
【００１４】
本発明の（ａ）成分は天然系のアルコールから誘導される界面活性剤を用いることができ、従ってＲ1aは直鎖であり、且つ天然由来のアルコールは末端がヒドロキシ基であるため、そこにプロピレンオキシドやエチレンオキシドが付加することから、プロピレンオキシド又はエチレンオキシドの酸素原子と結合しているＲ1aの炭素原子は、第１炭素原子である。もちろんアルキル硫酸エステル又は塩の場合は、Ｒ1aの末端のヒドロキシ基が硫酸化されたものであり、これも同様に第１炭素原子になる。
【００１５】
ｍとｎは、一般式（１）で示される化合物のｍ１及びｎ１より計算される、該化合物の混合物における平均付加モル数である。ところで（ａ）成分の化合物を製造する上で、本発明では、まずプロピレンオキシドを付加させることが重要である。エチレンオキシドとプロピレンオキシドのアルコールへの付加のしやすさを調べると、プロピレンオキシドのほうが付加しやすいことが分かる。つまり、プロピレンオキシドを最初に付加させることで、未反応アルコールの割合を低下させることが可能となるため、最終的に未反応アルコールが硫酸化されてなる、アルキル硫酸エステル又はその塩の含有量は低減する。なおプロピレンオキシドの付加率を高めると、プロピレンオキシドによる擬似的分岐構造をもつ界面活性剤の割合が高くなり、その結果、活性剤間のパッキング性が立体障害のために悪くなり洗浄力が低下する。従ってｍで示されるプロピレンオキシドの平均付加モル数は１未満に限定され、好ましくは下限値が０．１以上、すなわち０．１≦ｍであり、より好ましくは０．１５以上、すなわち０．１５≦ｍであり、上限値が好ましくは０．８以下、すなわち、ｍ≦０．８であり、より好ましくは０．６以下、すなわちｍ≦０．６である。
【００１６】
本発明の（ａ）成分は、プロピレンオキシド（以下ＰＯという場合がある。）付加させた後、次にエチレンオキシド（以下ＥＯと言う場合がある。）を付加するが、その付加モル数はＥＯ１モル及び２モル付加したもの、すなわち一般式（１）で示される化合物のうちｎ１＝１及びｎ１＝２の化合物が最も洗浄性能の上で効果的である。そのため、１モル、２モルの比率が高くなるように、エチレンオキシドを付加することが望ましい。従って本発明では、ＥＯの平均付加モル数ｎは好ましくは２．５以下、すなわちｎ≦２．５であり、より好ましくは２．３以下、すなわちｎ≦２．３であり、最も好ましくは２以下、すなわちｎ≦２である。またｎの下限値は好ましくは０．５以上、すなわち０．５≦ｎであり、より好ましくは１以上、すなわち１≦ｎである。
【００１７】
以下、一般式（１）のｍ１及びｎ１について説明する。本発明では、（ａ）成分は０＜ｍ＜１、０＜ｎ≦３であり、これを満たすように、ｍ１＝０及びｎ１＝０で示される化合物の割合が制限されることで低温安定性が向上し、アミンオキシド型界面活性剤と併用し高濃度界面活性剤のような組成であっても、十分な洗浄力を得ることができ、すすぎ性も向上する。更にｎ１＝０以外の化合物（ただしｍ１≠０）において、オキシプロピレン基がアルキル鎖の擬似分岐的要素をもつことからも、合成アルコールの分岐鎖のような役割でもってすすぎ性及び低温安定性を改善すると考えられる。
【００１８】
本発明では（ａ）成分中の、ｍ１＝ｎ１＝０の化合物、すなわちアルキル硫酸エステル又はその塩の割合が、好ましくは２８質量％以下であり、より好ましくは２６質量％以下、最も好ましくは２４質量％以下である。
【００１９】
また、本発明の（ａ）成分は、ｍ１≧２の化合物の含有量が、好ましくは（ａ）成分中に１５質量％以下、より好ましくは１０質量％以下である。ｍ１≧２の化合物は洗浄力を低下させる。
【００２０】
アルコールにプロピレンオキシドを反応させる場合、プロピレンオキシドは、一度アルコールと反応したＰＯの後に続いて反応するよりは、未反応アルコールに反応し易い傾向を示す。従ってｍ＜１の割合でプロピレンオキシドを反応させる場合、ｍ１＝１の化合物が多く生成され、ｍ１≧２の化合物の生成は少ない。特にｍ≦０．６の割合でプロピレンオキシドを反応させる場合、ｍ１≧２の化合物の生成を１５質量％以下、特には１０質量％以下に抑制しやすくなる。ｍ１≧２の化合物を制限するためには触媒の選定に注意する。なおｍ１≧２の化合物の生成を確実に抑制する方法としては、過剰のアルコール存在下でプロピレンオキシドを添加する方法が考えられる。この場合エチレンオキシドを反応させる前に蒸留により余分な未反応のアルコールを除去する必要がある。
【００２１】
（ａ）成分を構成している化合物として、オキシプロピレンアルキルエーテル硫酸エステル又はその塩、すなわちｍ１＝１且つｎ１＝０の化合物は（ａ）成分中に好ましくは４〜５０質量％、より好ましくは１０〜４０質量％である。
【００２２】
更には、本発明では（ａ）成分を構成している化合物として、エチレンオキシド基が１又は２の化合物が多いことが好ましいことは先に述べたとおりである。従ってｎ１＝１及びｎ１＝２の化合物は、（ａ）成分中、好ましくは２５〜４５質量％、より好ましくは２８〜４０質量％である。残りの（ａ）成分中の化合物は、ｎ１が３以上の化合物である。
【００２３】
ｍ１の上限は、好ましくは３以下であり、従って（ａ）成分は０≦ｍ１≦３の化合物からなることが好ましい。また、ｎ１の上限は、好ましくは１０以下であり、従って（ａ）成分は０≦ｎ１≦１０の化合物からなることが好ましく、特に、本発明では洗浄力の上で０≦ｎ１≦５の化合物が（ａ）成分中の８５質量％以上を占める混合物であることが好ましい。
【００２４】
一般式（１）中のＭは、塩を形成する陽イオン基であり、アルカリ金属イオン、アルカリ土類金属、アンモニウムイオン、およびモノエタノールアンモニウム基等のアルカノールアンモニウム基等が挙げられる。アルカリ金属としてはナトリウム、カリウム、リチウムなどが挙げられ、アルカリ土類金属としてはマグネシウム、カルシウムが挙げられる。これらの中でナトリウム、カリウムがより好ましい。
【００２５】
なお、本発明では、（ａ）成分に係る質量に関する記述（質量％や質量比）は、（ａ）成分の一般式（１）中のＭを水素原子と仮定したときの質量（酸換算での比率）に基づくものとする。
【００２６】
（ａ）成分は、その製造において、硫酸化されない化合物を含む場合があるが、本発明では該化合物は非イオン性界面活性剤として扱うものとする。
【００２７】
（ａ）成分は次のようにして製造することができる。
工程（Ｉ）：直鎖１級アルコールにプロピレンオキサイドを付加させる工程
工程（II）：上記工程（Ｉ）で得られたプロピレンオキサイド付加物にエチレンオキサイドを付加させる工程
工程（III）：上記工程（II）で得られたアルコキシレートを硫酸化し、次いで中和する工程
【００２８】
工程（Ｉ）では、炭素数８〜１８の直鎖１級アルコールにプロピレンオキサイドを付加させるが、付加の割合は、アルコールに１モル当たり、一般式（１）中のｍで示される割合のプロピレンオキシドを付加させる。
【００２９】
工程（II）では、上記工程（Ｉ）で得られたプロピレンオキサイド付加物にエチレンオキサイドを付加させるが、付加の割合は、アルコール１モル当たり、一般式（１）中のｎで示される割合のエチレンオキシドの割合で反応させる。
【００３０】
工程（Ｉ）、（II）を実施する方法としては、従来公知の方法が使用可能である。すなわち、オートクレーブにアルコールとアルコールに対し０．５〜１モル％のＫＯＨを触媒として仕込み、昇温・脱水し、約１２０〜１６０℃の温度で、それぞれ所定量のプロピレンオキサイド及びエチレンオキサイドを付加反応させることにより製造できる。このとき、付加形態はブロック付加であり、かつプロピレンオキサイド付加〔工程（Ｉ）〕、エチレンオキサイド付加〔工程（II）〕の順に行う。使用するオートクレーブには攪拌装置、温度制御装置、自動導入装置を備えられていることが望ましい。
【００３１】
工程（III）は、上記工程（II）で得られたアルコキシレートを硫酸化し、次いで中和させる工程である。硫酸化の方法としては、三酸化硫黄（液体又は気体）、三酸化硫黄含有ガス、発煙硫酸、クロルスルホン酸等を用いる方法が挙げられるが、特に、廃硫酸及び廃塩酸等の発生を防止する観点から、三酸化硫黄をアルコキシレートと同時にガス状又は液状で連続的に供給する方法が好ましい。
【００３２】
硫酸化物の中和方法としては、所定量の中和剤へ硫酸化物を添加・攪拌しながら中和を行うバッチ式と、硫酸化物と中和剤を配管内へ連続的に供給し、攪拌混合機にて中和を行うループ式などが挙げられるが、本発明では中和方法に限定はない。ここで使用される中和剤としてはアルカリ金属水溶液、アンモニア水、トリエタノールアミンなどが挙げられるが、アルカリ金属水溶液が好ましく、より好ましくは水酸化ナトリウムである。
【００３３】
＜（ｂ）成分＞
本発明の（ｂ）成分は、下記一般式（２）で表される化合物を含有する混合物であって、エチレンオキシドの平均付加モル数ｘが３〜１０である混合物、すなわちポリオキシエチレンアルキルエーテルである。該混合物は一般に衣料用の洗浄基材として用いることが知られているが、本発明では、下記一般式（２）で示される化合物のうちｘ１の値が０、１及び２の化合物（以下低ＥＯ付加ノニオンという場合がある）を本液体洗浄剤組成物中に特定濃度含有している点に特徴がある。
Ｒ2aＯ−（ＥＯ）x1Ｈ            （２）
（式中、Ｒ2aは炭素数６〜１８の直鎖又は分岐鎖アルキル基であり、ＥＯはエチレンオキシ基であり、ｘ１はＥＯの付加モル数を示し、０以上の整数である。）
【００３４】
一般式（２）における化合物のＲ2aは炭素数が６〜１８、好ましくは１０〜１８のアルキル基である。またアルキル基は、直鎖であることが好ましく、更には、酸素原子と結合しているＲ2aの炭素原子が第２級炭素原子であることが安定性の上から好ましい。
【００３５】
本発明の液体洗浄剤組成物は、一般式（２）の化合物うちｘ１の値が０、１及び２の化合物を含有することで、油汚れの乳化力が促進する。しかしながら低ＥＯ付加ノニオンは、オキシエチレン基の数が少ない分、親油性が強くなり、すすぎ性や貯蔵安定性に非常に影響しやすい。そこで本発明者らは、一般式（２）で示される化合物うちｘ１の値が０、１及び２の化合物の組成物中の含有量を制限し、且つｘ１＝４以上の化合物を併用する、すなわち混合物全体の平均付加モル数を所定範囲とすることで、すすぎ性と安定性を損なわずに優れた乳化力ないし洗浄力を得れられることを見出した。すなわち（ｂ）成分中において、一般式（２）の化合物うちｘ１の値が０、１及び２の化合物の含有量は液体洗浄剤組成物中に、０．０５〜１質量％であり、好ましくは０．０７〜１質量％、より好ましくは０．１〜０．９質量％である。特に一般式（２）の化合物のうちｘ１＝０の化合物は固体表面に付着し易い上に、臭いの問題があるため、組成物中の含有量は、好ましくは０．０５質量％未満、より好ましくは０．０３質量％以下、最も好ましくは０．０１質量％である。ｘ１＝０の化合物は０質量％であってもよい。本発明の（ｂ）成分のエチレンオキシドの平均付加モル数（平均ＥＯ付加モル数）ｘは３〜１０、好ましくは４〜８、より好ましくは４〜７であり、（ｂ）成分の混合物は、ｘ１の値が３以上の化合物を含有する。
【００３６】
本発明の（ｂ）成分は、アルコール１モルに対してエチレンオキシドを３〜５モル程度付加することで得ることができる。本発明では、特に下記の（ｂ−１）成分を用いるか、或いは（ｂ−１）成分と後述する（ｂ−２）成分を併用することが好ましい。
【００３７】
（ｂ−１）成分は、アルキル基の炭素数が６〜１８のアルコール１モルに対して、エチレンオキシドを１〜４モル付加することによって得られるポリオキシアルキレンアルキルエーテル型非イオン界面活性剤の混合物である。ＥＯ平均付加モル数が本発明の条件を満たして入ればそのまま用いることができるが、本発明では特に、該混合物を蒸留することでｘ１＝０であるアルコール含有量を低減させることが好ましく、具体的には混合物中の含有量を５質量％以下、更には３質量％以下、特には１質量％以下に調製することが好ましい。特にアルコール１モルに対してエチレンオキシドを３〜４モル付加させることで合成した混合物から未反応アルコールを蒸留により除去することで、本発明の（ｂ）成分を得ることができる。なお（ｂ−１）成分のうちＥＯ平均付加モル数が３未満の場合は、蒸留条件を調整しても（ｂ）成分の条件である平均付加モル数の範囲を満たさない場合がある。その場合は、後述する（ｂ−２）成分のような、エチレンオキシドが４モル以上付加した化合物、より好ましくは１０モル以下付加した化合物を含む混合物と混合することで平均付加モル数の要件を満たしてもよい。もちろん（ｂ−１）成分のうち平均付加モル数が３モル以上の化合物とエチレンオキシド付加モル数が更に大きい化合物とを混合してもかまわない。
【００３８】
前記したように（ｂ−１）成分は、（ｂ）成分の、平均付加モル数の範囲を満たさない場合がある。そのような場合、炭素数６〜１８のアルコール１モルに対してエチレンオキシドを５〜１２、好ましくは７〜１０モル付加させたポリオキシエチレンアルキルエーテル〔以下（ｂ−２）成分という場合がある〕と（ｂ−１）とを併用して（ｂ）成分を調製する。なお（ｂ−２）成分のようにＥＯ平均付加モル数が大きい混合物は、低ＥＯ付加モル数の化合物を殆ど含まないため、同様に（ｂ−１）成分との併用が必須条件となる。
【００３９】
（ｂ）成分である、ポリオキシエチレンアルキルエーテルの混合物はガスクロマトグラフ法によって分析される。
【００４０】
＜その他の成分＞
本発明の液体洗浄剤組成物は、前記（ａ）成分を陰イオン界面活性剤として用い、且つ補助的に（ｂ）成分の非イオン界面活性剤を用いることで、優れた乳化力及びすすぎ性、そして貯蔵安定性を得ることができるが、本発明の液体洗浄剤組成物は更にアミンオキシド型界面活性剤［以下、（ｃ）成分とする］を併用することで、より優れた洗浄力を発揮する。アミンオキシド型界面活性剤（以下ＡＯという場合がある）は（ａ）成分とのコンプレックスにより油汚れ洗浄性を高めるが、ＡＳとコンプレックスを作ったＡＯは、溶解性が低下し、これが結晶種となって低温での貯蔵安定性を低下させる。しかしながら本発明の（ａ）成分は従来のＡＥＳと比べてＡＳ濃度が低いため、ＡＯ配合系で影響は抑制され、（ｂ）成分のような油性の化合物を更に含んだ系であっても、低温安定性を維持することができる。
【００４１】
アミンオキシド型界面活性剤としては、下記一般式（３）で示される化合物が好ましい。
【００４２】
【化１】
0005133083.tif 000002
【００４３】
（式中、Ｒ3aは炭素数１０〜１８の炭化水素基であり、Ｒ3bは炭素数１〜３のアルキレン基であり、Ｒ3c、Ｒ3dは炭素数１〜３のアルキル基又はヒドロキシアルキル基であり、Ａは―ＣＯＯ−、−ＣＯＮＨ−、−Ｏ−から選ばれる基であり、ｒは０又は１の数である。）
【００４４】
上記一般式（３）で示される化合物のうち、Ｒ3aは好ましくは炭素数１０〜１６、より好ましくは１０〜１４のアルキル基又はアルケニル基である。具体的に好ましい化合物としては、Ｒ3aがラウリル基（又はラウリン酸残基）及び／又はミリスチル基（又はミリスチン酸残基）であり、Ｒ3c及びＲ3dが共にメチル基であり、ｒ＝０である化合物、並びに、Ｒ3aがラウリル基（又はラウリン酸残基）及び／又はミリスチル基（又はミリスチン酸残基）であり、Ｒ3c及びＲ3dが共にメチル基であり、ｒ＝１であり、Ａが−ＣＯＮＨ−又は−Ｏ−であり、且つＲ3bがプロピレン基又はヒドロキシプロピレン基の化合物である。
【００４５】
本発明ではＲ3aは単独のアルキル（又はアルケニル）鎖でもよく、異なるアルキル（又はアルケニル）鎖を有する混合アルキル基（又はアルケニル基）であってもよい。後者の場合には、ヤシ油、パーム核油から選ばれる植物油から誘導される混合アルキル（又はアルケニル）鎖を有するものが好適である。具体的にはラウリル基（又はラウリン酸残基）／ミリスチル基（又はミリスチン酸残基）のモル比が９５／５〜２０／８０、好ましくは９０／１０〜３０／７０であることが洗浄効果の点から好ましい。
【００４６】
本発明の液体洗浄剤組成物は、その他の成分として、（ｂ）成分以外の非イオン性界面活性剤、両性界面活性剤、及び（ａ）成分以外の陰イオン性界面活性剤から選ばれる１種以上の界面活性剤［以下、（ｄ）成分とする。］を併用することが、安定性の上で及び洗浄性の上で好ましい。
【００４７】
好ましい非イオン性界面活性剤として、分岐鎖を有する炭素数６〜１２のアルキル基を有するモノアルキル（ポリ）グリセリルエーテルをあげることができる。特に下記一般式（４）で示されるものが好ましい。
Ｒ4−Ｏ−Ｂ          （４）
〔式中、Ｒ4は分岐鎖を有する総炭素数８〜１２のアルキル基、好ましくは２−エチルヘキシル、イソノニル、イソデシルから選ばれる基であり、ＢはＣＨ2ＣＨ（ＯＨ）ＣＨ2ＯＨである。〕
【００４８】
好ましい非イオン性界面活性剤として、炭素数８〜２０の分岐鎖または直鎖の一級又は二級アルコールにプロピレンオキシド及びエチレンオキシドを付加させたポリオキシエチレンポリオキシプロピレンアルキルエーテルをあげることができる。
【００４９】
その他併用可能な非イオン性界面活性剤として、アルキルグリコシドを挙げることができる。本発明では特に、モノアルキルグリセリルエーテル、具体的には一般式（４）で示される化合物を併用することで、洗浄性は特に向上し、すすぎ性も向上する。
【００５０】
両性界面活性剤としては、スルホベタイン、カルボベタインを用いることができる。
【００５１】
陰イオン性界面活性剤としては、炭素数１０〜２０の脂肪酸塩及び炭素数が１０〜２０のアルキル基を有し、且つ硫酸基またはスルホン酸基を有する陰イオン性界面活性剤が好ましい。具体的には、脂肪酸塩としてはヤシ油やパーム油由来の脂肪酸塩、硫酸基またはスルホン酸基を有する陰イオン性界面活性剤としては、直鎖アルキルベンゼンスルホン酸塩、α−スルホ脂肪酸エステル塩、α−オレフィンスルホン酸塩、アルカンスルホン酸塩、脂肪酸塩を挙げることができる。なお（ａ）成分で示されたＲa1を満たさないポリオキシエチレンアルキルエーテル硫酸エステル塩を配合しても差し支えなく、それは合成アルコール由来のポリオキシエチレンアルキルエーテル硫酸エステル塩であってもよい。しかしながらポリオキシエチレンアルキルエーテル硫酸エステル塩を配合する場合、（ａ）成分の要件を満たす化合物、すなわちＲ1aについての条件を満たす化合物が混ざっている場合は（ａ）成分の条件の範囲内で配合されなければならない。
【００５２】
なお、本発明の（ａ）成分のＲ1aは１００％天然起源のアルキル基、すなわちＲ1aが直鎖であり、且つ酸素原子と繋がるアルキル基の炭素原子が第１炭素原子であることを条件とすることで特徴を示すことができるが、前記したように、他の合成系ＡＥＳとの併用は（ａ）成分の条件を乱さない限り配合することができる。しかしながらその場合、合成起源のＡＥＳであっても、製造によってはＲ1aを満たすものが幾分か含まれてくるため、合成起源１００％のＡＥＳとの違いが明確でなくなる可能性がある。
【００５３】
本発明では、合成アルコール起源のＡＥＳの特徴である、分岐鎖アルキル基を有するＡＥＳ、及び直鎖アルキル基であってアルキル基と結合している酸素原子がアルキル基の第１炭素原子以外の炭素原子と結合しているＡＥＳの割合、換言すれば分岐鎖アルキル基を有するＡＥＳ及び直鎖２級アルコール由来のＡＥＳの割合を限定することで、天然系ＡＥＳと合成系ＡＥＳとの違いを明確にすることができる。具体的には、一般的な合成系アルコールの製造条件で、前記分岐鎖アルコール由来又は２級アルコール由来のＡＥＳが、全ＡＥＳ中に約２０〜１００質量％であることから、本発明の液体洗浄剤組成物において、（１）分岐鎖アルキル基を有するＡＥＳ、及び（２）直鎖アルキル基であってアルキル基と結合している酸素原子が、アルキル基の第２炭素原子と結合しているＡＥＳ、の合計の割合を液体洗浄剤組成物中に含まれる全ＡＥＳ中の２０質量％未満、更には１５質量％以下、特には１０質量％以下、本質的には実質含まないとすることで合成系との違いを示すことができる。
【００５４】
本発明の液体洗浄剤組成物は、ハイドロトロープ剤〔以下、（ｅ）成分という場合がある〕及び有機溶剤〔以下、（ｆ）成分という場合がある〕から選ばれる相安定化剤を含有する。
【００５５】
（ｅ）成分のハイドロトロープ剤としては、最大炭素数が３以下のアルキル基を１〜３有するアルキルベンゼンスルホン酸塩が好ましく、具体的にはトルエンスルホン酸、キシレンスルホン酸、及びクメンスルホン酸、並びにこれらのナトリウム、カリウムあるいはマグネシウム塩が良好であり、特にｐ−トルエンスルホン酸が良好である。
【００５６】
（ｆ）成分の、有機溶剤としては、まず（ｉ）炭素数１〜３のアルコール、（ｉｉ）炭素数２〜４のグリコールやグリセリン、（ｉｉｉ）アルキレングリコール単位の炭素数が２ないし４のジまたはトリアルキレングリコール、（ｉｖ）アルキレングリコール単位の炭素数が２ないし４のジないしテトラアルキレングリコールのモノアルコキシ（メトキシ、エトキシ、プロポキシ、ブトキシ）、フェノキシ又はベンゾオキシエーテル、をあげることができる。
【００５７】
具体的には（ｉ）として、エタノール、イソプロピルアルコール、（ii）として、エチレングリコール、プロピレングリコール、グリセリン、イソプレングリコール、（iii）として、ジエチレングリコール、ジプロピレングリコール、（iv）として、プロピレングリコールモノメチルエーテル、プロピレングリコールモノエチルエーテル、ジグリコールモノブチルエーテル、フェノキシエタノール、フェノキシトリエチレングリコール、フェノキシイソプロパノールがあり、これらから選ばれる水溶性有機溶媒が好ましい。特にはエタノール、プロピレングリコール、ジプロピレングリコール、ブチルジグリコール、フェノキシエタノール、フェニルグリコール、フェノキシイソプロパノールが好ましい。
【００５８】
また、有機溶剤としてポリアルキレングリコールを用いることができる。ポリアルキレングリコールは、ゲル化防止剤［以下、（ｆ−１）成分というときがある］として有用であり、例えば特表平１１−５１３０６７号公報に記載されているゲル化防止重合体、とりわけポリプロピレングリコールを配合することが粘度調節及び貯蔵安定性の点から好ましい。ポリプロピレングリコールは、重量平均分子量が６００〜５０００、更には１０００〜４０００のものが好ましく、重量平均分子量は光散乱法を用いて決定することができ、ダイナミック光散乱光度計（ＤＬＳ−８０００シリーズ、大塚電子株式会社製など）により測定することができる。
【００５９】
また、洗浄剤組成物の気液界面に出来る、活性剤の重合膜の形成抑制を目的に、グリセリンのエチレンオキシド付加物（エチレンオキシド平均付加モル数は５〜１２０が好ましい。）を（ｆ）成分として配合してもよい。
【００６０】
本発明の液体洗浄剤組成物は、金属イオン封鎖剤［以下（ｇ）成分とする］として、クエン酸、リンゴ酸、ＥＤＴＡ（エチレンジアミン四酢酸）、酒石酸、乳酸、グルコン酸、アミノ酸化合物の窒素原子にカルボキシメチル基が１つ以上結合したアミノポリカルボン酸〔例えば、ＭＧＤＡ（メチルグリシン二酢酸）〕並びにそれらの塩を配合してもよい。塩はナトリウム、カリウム、アルカノールアミンを挙げることができるが、別成分アルカリ剤として配合してもよい
【００６１】
本発明の液体洗浄剤組成物には、その他成分として、例えばプロキセルやケーソンなどの商品名で知られている防菌・防黴剤、亜鉛塩、銀塩、ポリリジン、フェノキシエタノールなどの殺菌剤、硫酸マグネシウム、塩化マグネシウムなどの水溶性無機塩、亜硫酸塩などの還元剤、ＢＨＴ、アスコルビン酸、などの酸化防止剤、キサンタンガム、グァーガム、カラギーナンなどの増粘性高分子、ポリアクリル酸系ポリマーなどの高分子分散剤、プロテアーゼ、アミラーゼ、リパーゼなどの酵素、増泡剤、着色剤及び香料などの液体洗浄剤に配合することが知られている化合物を配合することができる。
【００６２】
なお、本発明の液体洗浄剤組成物は残部は水であり、実質的に必須成分である。水は液体安定性の上で、蒸留水又はイオン交換水を用いることが好ましい。
【００６３】
次に本発明の液体洗浄剤組成物における前記成分の配合割合について説明する。本発明の（ａ）成分は、組成物中に４〜５０質量％、好ましくは１０〜４０質量％、より好ましくは１０〜３０質量％含有される。洗浄性の観点から下限値以上であり、低温安定性の観点から上限値以下である。なお前記（ａ）成分の含有量は一般式（１）におけるＭを水素原子と仮定した場合の濃度とする。
【００６４】
（ｂ）成分は、既に前記した一般式（２）の化合物のうちｘ１が０、１及び２の化合物の濃度限定を考慮した上で、洗浄力、乳化力及びすすぎ性の点から、組成物中に０．１〜１０質量％、好ましくは０．３〜５質量％、より好ましくは０．５〜３質量％含有される。
【００６５】
（ｃ）成分は、組成物中に１〜３０質量％、好ましくは１〜２０質量％、より好ましくは１．５〜１５質量％含有される。洗浄性の上で下限値以上であり、低温安定性の上で上限値以下である。
【００６６】
（ａ）成分は（ｃ）成分と併用することでコンプレックスを形成し特に高濃度では効果が強くなる。そのためには（ａ）成分と（ｃ）成分は、（ｃ）成分に対する（ａ）成分の割合が、質量比として、（ａ）／（ｃ）＝２０／１〜１／１、好ましくは１０／１〜１／１、より好ましくは１０／１〜２／１である。低温安定性の観点から下限値以上であり、洗浄力の観点から上限値以下である。
【００６７】
（ｄ）成分は、組成物中に好ましくは５〜２５質量％、より好ましくは５〜２０質量％含有され、更に（ｃ）成分を前記濃度範囲で含有し、且つ（ｂ）成分以外の非イオン性界面活性剤を組成物中に０．５〜１５質量％含有することが乳化力・起泡力の点でより好ましい。特に、前記（ｃ）成分及び（ｄ）成分としての非イオン界面活性剤に更に加えて、（ｄ）成分として両性界面活性剤を２〜１５質量％含有することが起泡力・低温安定性の点で好ましい。（ａ）成分以外の陰イオン性界面活性剤を配合することができるが、直鎖アルキルベンゼンスルホン酸塩やアルカンスルホン酸塩などのスルホン酸系界面活性剤は、その殆どが合成系の界面活性剤であり、具体的には組成物中５質量％未満、更には３質量％以下、特には２．５質量％以下であることが好ましい。
【００６８】
本発明では、（ａ）成分、（ｂ）成分、（ｃ）成分、（ｄ）成分等を含めた界面活性剤の総量が組成物中、１０〜６０質量％、更に１０〜５０質量であることが好ましい。
【００６９】
本発明の（ｅ）成分であるハイドロトロープ剤の組成物中の含有量は、好ましくは１．５〜１０質量％、より好ましくは２〜７．５質量％である。
【００７０】
本発明の（ｆ）成分である有機溶剤の組成物中の含有量は、後述する（ｆ−１）を除いた量として、好ましくは０〜３０質量％、より好ましくは１．５〜１５質量％である。エタノールの組成物中の含有量は０〜７．５質量％が好ましく、その他溶剤としてはプロピレングリコール、ジプロピレングリコール、ブチルジグリコール、フェノキシエタノール、フェニルグリコール、フェノキシイソプロパノールから選ばれる１種または２種以上を配合することが好ましいが、プロピレングリコール、ジプロピレングリコール、ブチルジグリコール、フェノキシエタノール、フェニルグリコール、フェノキシイソプロパノールから選ばれる１種または２種以上の溶剤の総量は組成物中０〜２５質量％とすることができる。
【００７１】
また、（ｆ）成分の中でも（ｆ−１）成分であるゲル化防止重合体の組成物中の含有量は、好ましくは０〜５質量％、より好ましくは０〜３質量％である。ポリプロピレングリコールの場合、組成物中に０〜２質量％配合することが好ましい。
【００７２】
（ｇ）成分の含有量は、安定性の点から組成物中に８質量％以下であり、好ましくは５質量％以下である。なおこの濃度は対イオンを水素イオンと仮定したときの濃度とする。
【００７３】
本発明の水は残部であるが、組成物中８５質量％以下、他の成分を考慮した場合、８０〜３０質量％配合される。
【００７４】
なお本発明の液体洗浄剤組成物のｐＨは２５℃で、好ましくは４．５〜９、より好ましくは５．５〜８である。（ａ）成分は酸性で不安定であること等を考慮して、且つ低温安定性の点で下限値が決められ、洗浄性や食器洗用途の場合は手肌への影響を考慮して上限値が決められる。ｐＨ調整は、酸性に調整する場合は、塩酸、硫酸などの無機酸の他に、クエン酸などのキレート剤やハイドロトロープ剤を用いてもよく、アルカリ剤としてはアルカノールアミンの他に、アルカリ金属水酸化物を用いてもよい。なお、ｐＨは後述の実施例の方法で測定されたものである。
【００７５】
本発明の液体洗浄剤組成物の粘度は液の吐出性の観点から好ましくは１０〜１０００ｍＰａ・ｓ、より好ましくは２５〜５００ｍＰａ・ｓである。粘度の測定方法は、２０℃にてブルックフィールド型粘度計により測定する。ローターはＮｏ．２のものを用い、回転数６０ｒ／ｍｉｎで回転し、回転開始から６０秒後の粘度を液体洗浄剤組成物の粘度とする。
【実施例】
【００７６】
＜配合成分＞
以下の実施例、比較例で用いた成分を示す。
（１）（ａ）成分
以下の各成分で用いた天然アルコールは、直鎖アルキル基を有する化合物のみで構成されている。
・ＥＳ１：アルキル鎖がＣ12：Ｃ14＝７３：２７（質量比）の天然アルコールに、ＰＯを０．４モル付加、ＥＯを１．５モル付加したのち、三酸化イオウにより硫酸化し、水酸化ナトリウムで中和した（水で１０％希釈したもののｐＨが１１になるまで中和した）。
・ＥＳ２：アルキル鎖がＣ12：Ｃ14＝７３：２７（質量比）の天然アルコールに、ＰＯを０．５モル付加、ＥＯを１．５モル付加したのち、三酸化イオウにより硫酸化し、水酸化ナトリウムで中和した（水で１０％希釈したもののｐＨが１１になるまで中和した）。
・ＥＳ３：アルキル鎖がＣ12：Ｃ14＝７３：２７（質量比）の天然アルコールに、ＰＯを０．６モル付加、ＥＯを１．５モル付加したのち、三酸化イオウにより硫酸化し、水酸化ナトリウムで中和した（水で１０％希釈したもののｐＨが１１になるまで中和した）。
・ＥＳ４：アルキル鎖がＣ12の天然アルコールに、ＰＯを０．４モル付加、ＥＯを２．０モル付加したのち、三酸化イオウにより硫酸化し、水酸化ナトリウムで中和した（水で１０％希釈したもののｐＨが１１になるまで中和した）。
・ＥＳ５：アルキル鎖がＣ１２：Ｃ１４＝７３：２７（質量比）の天然アルコールに、ＥＯを２．０モル付加したのち、三酸化イオウにより硫酸化し、水酸化ナトリウムで中和した（水で１０％希釈したもののｐＨが１１になるまで中和した）。
・ＥＳ６（合成系アルコール由来、参考例）：ポリオキシエチレンアルキルエーテル硫酸ナトリウム［原料アルコールは、１−デセン及び１−ドデセン２０／８０（質量比）を原料にヒドロホルミル化して得られた合成系アルコールである。このアルコールにＥＯを平均２モル付加させた後、三酸化イオウにより硫酸化し、水酸化ナトリウムで中和した（水で１０％希釈したもののｐＨが１１になるまで中和した）。全ポリオキシエチレンアルキルエーテル硫酸ナトリウム中のポリオキシエチレン分岐鎖アルキルエーテル硫酸ナトリウムの割合は約２０質量％であった。］
ＥＳ１〜ＥＳ６の詳細を表１に示す。なおＥＳ６は分岐率から求めた数値である。
【００７７】
【表１】
0005133083.tif 000003
【００７８】
（２）（ｂ）成分及びその比較非イオン性界面活性剤
・ノニオン１：アルキル鎖がＣ12〜Ｃ14の直鎖２級アルコール１モルあたりエチレンオキシドを３モル付加させた後、蒸留することで未反応のアルコール及びエチレンオキシド付加モルが１の化合物を低減させたポリオキシエチレンアルキルエーテル型非イオン界面活性剤［該非イオン界面活性剤のＥＯ平均付加モル数ｘは４．３、一般式（２）においてｘ１が０、１及び２の化合物の占める割合が２３質量％、ｘ１が０の化合物（未反応アルコール）の割合が０質量％であった。］
・ノニオン２：ノニオン１の化合物に更にエチレンオキシドを４モル付加させたポリオキシエチレンアルキルエーテル型非イオン界面活性剤を得た。該非イオン界面活性剤のＥＯ平均付加モル数ｘは９．０、一般式（２）においてｘ１が０、１及び２の化合物の占める割合が０．１質量％、ｘ１が０の化合物（未反応アルコール）の割合が０質量％であった。］
ノニオン３：ノニオン１の化合物に更にエチレンオキシドを９モル付加させたポリオキシエチレンアルキルエーテル型非イオン界面活性剤を得た。該非イオン界面活性剤のＥＯ平均付加モル数ｘは１０を越えるものであり、一般式（２）においてｘ１が０、１及び２の化合物の占める割合が０質量％、ｘ１が０の化合物（未反応アルコール）の割合が０質量％であった。
ノニオン４：原料アルコールは、１−デセン及び１−ドデセン２０／８０（質量比）を原料にヒドロホルミル化して得られた合成系アルコールである。このアルコールにＥＯを２モル付加させたポリオキシエチレンアルキルエーテル型非イオン界面活性剤を得た。該非イオン界面活性剤のＥＯ平均付加モル数ｘは２、一般式（２）においてｘ１が０、１及び２の化合物の占める割合が６８質量％、ｘ１が０の化合物（未反応アルコール）の割合が３２質量％であった。
ノニオン５：アルキル鎖がＣ１２：Ｃ１４＝７３：２７（質量比）の天然アルコールにＥＯを２モル付加させたポリオキシエチレンアルキルエーテル型非イオン界面活性剤を得た。該非イオン界面活性剤の。ＥＯ平均付加モル数ｘは２、一般式（２）においてｘ１が０、１及び２の化合物の占める割合が６４質量％、ｘ１が０の化合物（未反応アルコール）の割合が２８質量％であった。
【００７９】
（３）（ｃ）成分
・ＡＯ１：Ｎ−ラウリル−Ｎ，Ｎ−ジメチルアミンオキシド
・ＡＯ２：Ｎ−ミリスチル−Ｎ，Ｎ−ジメチルアミンオキシド／Ｎ−ミリスチル−Ｎ，Ｎ−ジメチルアミンオキシド＝２／３（質量比）
【００８０】
（４）（ｄ）成分
・スルホベタイン：ラウリルジメチルスルホベタイン
・ＡＧ：アルキル基の組成がＣ12／Ｃ14＝６０／４０（質量比）の混合アルキルでグルコシド平均縮合度１．５のアルキルグルコシド
・ＧＥ−２ＥＨ：２−エチルヘキシルモノグリセリルエーテル（モノグリセリルエーテル９９質量％）
【００８１】
（５）その他の成分
・ポリプロピレングリコール：重量平均分子量１０００のもの
【００８２】
＜液体洗浄剤組成物の調製方法＞
上記の成分及び表１〜５の成分を用いて液体洗浄剤組成物を調製した。その際、ｐＨは４８％水酸化ナトリウムを用いて調整した（表中は「＋」表示）。ｐＨの測定方法は以下の通りである。
【００８３】
＊ｐＨの測定方法
ｐＨメーター（ＨＯＲＩＢＡ製  ｐＨ／イオンメーター  Ｆ−２３）にｐＨ測定用複合電極（ＨＯＲＩＢＡ製  ガラス摺り合わせスリーブ型）を接続し、電源を投入した。ｐＨ電極内部液としては、飽和塩化カリウム水溶液（３．３３ｍｏｌ／Ｌ）を使用した。
【００８４】
次に、ｐＨ４．０１標準液（フタル酸塩標準液）、ｐＨ６．８６（中性リン酸塩標準液）、ｐＨ９．１８標準液（ホウ酸塩標準液）をそれぞれ１００ｍｌビーカーに充填し、２５℃の恒温槽に３０分間浸漬した。恒温に調整された標準液にｐＨ測定用電極を３分間浸し、ｐＨ６．８６→ｐＨ９．１８→ｐＨ４．０１の順に校正操作を行った。
【００８５】
試料（液体洗浄剤組成物）を１００ｍｌビーカーに充填し、２５℃の恒温槽内にて２５℃に調整した。恒温に調整された試料にｐＨ測定用電極を３分間浸し、ｐＨを測定した。
【００８６】
＜評価＞
（１）洗浄力試験（洗浄力持続性試験）
菜種油／牛脂を１／１の質量比で混合し、さらに０．１質量％の色素（スタンレッド）を均一に混ぜ込んだモデル油汚れ１ｇを陶器製の皿に均一に塗り広げたものをモデル汚染食器とした。市販のスポンジ（住友３Ｍ社製：スコッチブライト）に、液体洗浄剤組成物１ｇ及び水道水３０ｇを染み込ませ２〜３回手でもみ泡立たせた。これを用いてモデル汚染食器を擦り洗いし、洗浄（食器に付着した色が消えることにより確認）できた皿の枚数を求めた。
【００８７】
（２）乳化力
上記洗浄力試験において、１枚目の皿に塗られた油の塊がなくなるまでの擦り回数を評価した。乳化力に優れるほど、擦る回数は少なくなる。
【００８８】
（３）すすぎ性試験
市販のスポンジ（住友３Ｍ社製：スコッチブライト）に液体洗浄剤組成物１ｇ及び水道水３０ｇ（２０℃）を染み込ませ２〜３回手でもみ泡立たせた。これを用いて汚れのないＰＰ皿５枚の表裏を擦り洗いし（１０回／面）、２０℃、４Ｌ／分の流水で、一定の速度で手で擦りながらすすぎ洗いを行い、液体洗浄剤組成物が完全に取れるまでの時間、すなわちヌルツキが取れるまでの時間を２回測定し、その平均時間を求めた。すすぎ性が優れるほど、すすぎ時間は短くなる。
【００８９】
（４）低温安定性
液体洗浄剤組成物を食器用洗剤専用のＰＥＴ製ボトルに２５０ｍｌ入れ、−５℃で２０日の保存を行い、液の外観の変化を調製直後の透明、均一な状態と比較して下記の基準で評価した。
外観に変化がみられない……○
ゲル化、分離、沈殿形成などの外観の変化がみられる……×
【００９０】
＜実施例１及び比較例１〜４＞
上記の成分及び表２の成分を用いて液体洗浄剤組成物を調製し、すすぎ性を評価した。
【００９１】
【表２】
0005133083.tif 000004
【００９２】
本発明の実施例１の組成物は、エチレンオキシド付加モル数の低い化合物を含む非イオン界面活性剤を用いているにも係わらず、良好なすすぎ性を示した。
【００９３】
＜実施例２〜７及び比較例５〜６＞
任意の成分を配合することで、実用性の高い液体洗浄剤の検討を行うために、上記の成分及び表３の成分を用いて調製した液体洗浄剤組成物について、洗浄力、乳化力、すすぎ性についての評価を行った。ここでは、（ａ）成分を１８質量％及び１５質量％に固定し、非イオン界面活性剤濃度を変えたときの傾向を調べた。その結果を表３に示す。
【００９４】
【表３】
0005133083.tif 000005
【００９５】
実施例２〜７は、非イオン界面活性剤の含有量が増えるにつれて、洗浄力及び乳化力が向上し、（ｂ）成分中、ｘ１＝０〜２の化合物が少ないほどすすぎ性が良好となった。
【００９６】
＜実施例８及び比較例７〜１１＞
上記の成分及び表４の成分を用いて調製した液体洗浄剤組成物について、（ａ）成分及び（ｂ）成分濃度を固定して、（ａ）成分又は（ｂ）成分の種類を変えたときの傾向を上記の評価を行った。その結果を表４に示す。
【００９７】
【表４】
0005133083.tif 000006
【００９８】
＜実施例９及び参考例１〜２＞
上記の成分及び表５の成分を用いて調製した液体洗浄剤組成物について上記の評価を行った。その結果を表５に示す。
【００９９】
【表５】
0005133083.tif 000007
【０１００】
参考例１、２は、合成系のＡＥＳ（ＥＳ６）を用いているため、前述したように、低温安定性は良好である。しかし、これに本発明の（ｂ）成分を併用した場合（参考例１）よりも、実施例９の方がよりすすぎ性は良好となる。また、この合成系のＡＥＳ（ＥＳ６）にノニオン２のみを併用して本発明の（ｂ）成分に該当しない系としても（参考例２）、洗浄力、乳化力は実施例９の水準には到達しない。
【０１０１】
＜配合例＞
本発明の液体洗浄剤組成物となる配合例を表６に示す。
【０１０２】
【表６】
0005133083.tif 000008